(57)【要約】【課題】第１無線通信システムにおける報知情報の捕捉能力を確保しながら第２無線通信システムによる通信のスループットを効率よく向上できる無線通信方法および無線通信装置を提供する。【解決手段】第１および第２無線通信システム（１ｘおよびＥＶＤＯ）による情報の送受信が可能な送受信手段（２，３，６）と、第１および第２無線通信システムによる情報の受信が可能で、かつ第１無線通信システムにおける受信利得が送受信手段よりも小さい受信手段（４，７）とを用い、送受信手段での第２無線通信システムによる情報の送受信中に、送受信手段で受信される第１無線通信システムにおける着信を通知する報知情報の受信感度が、送受信手段と受信手段との受信利得差に応じて設定された第１閾値または第２閾値を超えたのを検出して、報知情報の受信を送受信手段から受信手段に切替える。【選択図】図１
2008085793.tif 000002
【特許請求の範囲】
【請求項１】
第１無線通信システムおよび第２無線通信システムによる情報の送受信が可能な送受信手段と、前記第１無線通信システムおよび前記第２無線通信システムによる情報の受信が可能で、かつ前記第１無線通信システムにおける受信利得が前記送受信手段よりも小さい受信手段とを用い、
前記送受信手段での前記第２無線通信システムによる情報の送受信中に、前記送受信手段で受信される前記第１無線通信システムにおける着信を通知する報知情報の受信感度が、前記送受信手段と前記受信手段との受信利得差に応じて設定された第１閾値または第２閾値を超えたのを検出して、前記報知情報の受信を前記送受信手段から前記受信手段に切替えることを特徴とする無線通信方法。
【請求項２】
第１無線通信システムおよび第２無線通信システムによる情報の送受信が可能な送受信手段と、
前記第１無線通信システムおよび前記第２無線通信システムによる情報の受信が可能で、かつ前記第１無線通信システムにおける受信利得が前記送受信手段よりも小さい受信手段と、
前記送受信手段での前記第２無線通信システムによる情報の送受信中に、前記送受信手段で受信される前記第１無線通信システムにおける着信を通知する報知情報の受信感度が閾値を超えたのを検出して、前記報知情報の受信を前記送受信手段から前記受信手段に切替える切替え手段と、
前記閾値として、前記送受信手段と前記受信手段との受信利得差に応じて、該受信利得差が大きいときは第１閾値を設定し、小さいときは第２閾値を設定する閾値設定手段と、
を有することを特徴とする無線通信装置。
【請求項３】
前記第２閾値は、前記第１閾値よりも小さいことを特徴とする請求項２に記載の無線通信装置。
【請求項４】
前記受信手段は、前記送受信手段での前記第２無線通信システムによる情報の送受信中に、前記第２無線通信システムによる情報をダイバシティ受信し、
前記閾値設定手段は、前記前記第２無線通信システムにおける前記送受信手段と前記受信手段との受信利得差に応じて、前記第１閾値または前記第２閾値を設定することを特徴とする請求項２または３に記載の無線通信装置。
【請求項５】
第１無線通信システムおよび第２無線通信システムによる情報の送受信が可能な送受信手段と、
前記第１無線通信システムおよび前記第２無線通信システムによる情報の受信が可能で、かつ前記第１無線通信システムにおける受信利得が前記送受信手段よりも小さい受信手段と、
前記送受信手段での前記第２無線通信システムによる情報の送受信中に、前記送受信手段で受信される前記第１無線通信システムにおける着信を通知する報知情報の受信感度が閾値を超えたのを検出して、前記報知情報の受信を前記送受信手段から前記受信手段に切替える切替え手段と、
前記閾値として、前記送受信手段で受信される前記第１無線通信システムにおける使用周波数が、第１周波数帯のときは第１閾値を設定し、第２周波数帯のときは第２閾値を設定する閾値設定手段と、
を有することを特徴とする無線通信装置。
【請求項６】
前記第２閾値は、前記第１閾値よりも小さいことを特徴とする請求項５に記載の無線通信装置。
【発明の詳細な説明】
【技術分野】
【０００１】
本発明は、無線通信方法およびこれを実施する無線通信装置に関するものである。
【背景技術】
【０００２】
近年、携帯電話等の無線通信装置には、それぞれの規格に応じた複数の方式が存在しており、例えば、日本の携帯電話方式では、ＴＤＭＡ方式、ＣＤＭＡ方式が普及している。
【０００３】
通常、無線通信装置は、何れか１つの規格に対応するように構成されているが、最近の例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システム（例えば、１ｘと１ｘＥＶＤＯ等）で通信を行うマルチバンド化も行われている。
【０００４】
このようなマルチバンドに対応する無線通信装置として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した携帯電話端末が知られている（例えば、特許文献１参照）。
【０００５】
また、最近では、あるシステムでの送受信をプライマリアンテナで行うと同時に、他のシステムでの受信をセカンダリアンテナで行うＳＨＤＲ（Simultaneous Hybrid Dual Receiver）機能を搭載して、プライマリアンテナによる通信のスループットの向上を図ったマルチバンド対応の携帯電話端末も考えられている。
【０００６】
図８は、このようなＳＨＤＲ機能を搭載した携帯電話端末の要部の概略構成を示す機能ブロック図である。
【０００７】
この携帯電話端末は、８００ＭＨｚ帯でのｃｄｍａ２０００方式（以下、８００ＭＨｚ帯と適宜略称する）および２ＧＨｚ帯でのｃｄｍａ２０００方式（以下、２ＧＨｚ帯と適宜略称する）による１ｘの通信システムと、１ｘＥＶＤＯ（以下、単にＥＶＤＯと適宜略称する）の通信システムとを有するとともに、１５７５．４２ＭＨｚ（以下、１．５ＧＨｚ帯と適宜略称する）のＧＰＳ周波数の受信機能を有するもので、変調回路および復調回路を有するベースバンド部１００に接続された送信部（Ｔｘ）１０１、プライマリ受信部（プライマリＲｘ）１０２およびセカンダリ受信部（セカンダリＲｘ）１０３を備えている。
【０００８】
送信部１０１およびプライマリ受信部１０２は、デュープレクサ１０４を介してプライマリアンテナ１０５に接続されて、８００ＭＨｚ帯および２ＧＨｚ帯での送受信が可能となっている。また、セカンダリ受信部１０３は、セカンダリアンテナ１０６に接続されて、プライマリ受信部１０２と独立して８００ＭＨｚ帯、２ＧＨｚ帯および１．５ＧＨｚ帯での受信が可能となっている。
【０００９】
この携帯電話端末では、ＥＶＤＯによる通信においてはダイバシティ方式を採用するとともに、このＥＶＤＯ通信中には、定期的に１ｘ通信における基地局からの着信を通知する報知情報（ページング）を受信して音声着信を監視するようにしており、その動作モードとしてハイブリッドモードとＳＨＤＲ機能によるＳＨＤＲモードとがある。
【００１０】
ハイブリッドモードでは、図９（ａ）に示すように、ＥＶＤＯ通信中にプライマリアンテナ１０５側を定期的に１ｘ通信に切替えて、ページングを受信するようにしている。なお、このハイブリッドモードでは、セカンダリアンテナ１０６側においても、プライマリアンテナ１０５側と同期して、１ｘ通信によるページングをダイバシティ受信する場合もある。また、ＳＨＤＲモードでは、図９（ｂ）に示すように、プライマリアンテナ１０５側はＥＶＤＯ通信を連続させ、セカンダリアンテナ１０６側を定期的に１ｘ通信に切替えてページングを受信することにより、音声着信を監視するようにしている。
【００１１】
ここで、ＳＨＤＲモードでは、図９（ｂ）に示したように、プライマリアンテナ１０５側を１ｘ通信に切替えることなく、ＥＶＤＯ通信を連続させるので、ハイブリッドモードの場合と比較して、ＥＶＤＯ通信のスループットを向上することができる。
【００１２】
しかし、セカンダリアンテナ１０６は、８００ＭＨｚ帯、２ＧＨｚ帯および１．５ＧＨｚ帯の３バンドを受信するため、８００ＭＨｚ帯および２ＧＨｚ帯の２バンドで送受信するプライマリアンテナ１０５と比較して、８００ＭＨｚ帯や２ＧＨｚ帯のアンテナ利得は、一般に低くなっている。例えば、図１０（ａ）に示すように、プライマリアンテナ１０５の８００ＭＨｚ帯および２ＧＨｚ帯におけるアンテナ利得が、それぞれ−３ｄＢｉおよび０ｄＢｉであるのに対して、セカンダリアンテナ１０６の８００ＭＨｚ帯および２ＧＨｚ帯におけるアンテナ利得は、それぞれ−１０ｄＢｉおよび−３ｄＢｉとなっている。このため、ＳＨＤＲモードでは、基地局からのページングの捕捉能力に関しては、ハイブリッドモードよりも低くなる。
【００１３】
そこで、従来は、図８に示すように、プライマリ受信部１０２あるいはセカンダリ受信部１０３で受信されてベースバンド部１００に入力された実際の１ｘ受信感度と、閾値メモリ１０７に予め格納した１ｘ受信感度の上限閾値および下限閾値とをモード切替え部１０８において比較し、その比較結果に基づいて、図１１に示すように、ハイブリッドモード中に１ｘ受信感度が上限閾値を超えたらＳＨＤＲモードに切替え、ＳＨＤＲモード中に１ｘ受信感度が下限閾値以下になったらハイブリッドモードに切替えるように、ベースバンド部１００、送信部１０１、プライマリ受信部（プライマリＲｘ）１０２およびセカンダリ受信部（セカンダリＲｘ）１０３を制御するようにしている。
【００１４】
すなわち、モード切替えにおいては、図１２にフローチャートを示すように、先ず、初期設定における動作モードをハイブリッドモードとして（ステップＳ１１１）、１ｘのページングを受信するか否か、すなわち１ｘサーチを実行するか否かを判定し（ステップＳ１１２）、１ｘサーチを実行する場合には、次に、その時点におけるモード切替え部１０８の動作モードを判定する（ステップＳ１１３）。
【００１５】
ここで、ハイブリッドモードと判定された場合は、図９（ａ）に示したように、プライマリアンテナ１０５側でＥＶＤＯ通信および１ｘ受信を行い、セカンダリアンテナ１０６側でＥＶＤＯ通信のダイバシティ受信を行うようにする（ステップＳ１１４）。この場合、１ｘのページングは、アンテナ利得の高いプライマリアンテナ１０５で受信されるので、次に、モード切替え部１０８においてベースバンド部１００から供給される実際の１ｘ受信感度が上限閾値を超えているか否かを判定し（ステップＳ１１５）、超えていなければステップＳ１１２に移行し、越えていれば、１ｘのページングをアンテナ利得の低いセカンダリアンテナ１０６で受信可能なので、動作モードをハイブリッドモードからスループットの高いＳＨＤＲモードに切替えて（ステップＳ１１６）、ステップＳ１１２に移行するようにしている。
【００１６】
一方、ステップＳ１１３において、動作モードがＳＨＤＲモードと判定された場合は、図９（ｂ）に示したように、プライマリアンテナ１０５側でＥＶＤＯ通信を行い、セカンダリアンテナ１０６側でＥＶＤＯ通信のダイバシティ受信および１ｘ受信を行うようにする（ステップＳ１１７）。この場合、１ｘのページングは、アンテナ利得の低いセカンダリアンテナ１０６で受信されるので、次に、モード切替え部１０８においてベースバンド部１００から供給される実際の１ｘ受信感度が下限閾値以下か否かを判定し（ステップＳ１１８）、下限閾値以下でなければステップＳ１１２に移行し、以下であれば、１ｘのページングの捕捉能力を高める必要があるので、動作モードをＳＨＤＲモードからハイブリッドモードに切替え（ステップＳ１１９）、これにより１ｘのページングをアンテナ利得の高いプライマリアンテナ１０５で受信するようにしてステップＳ１１２に移行するようにしている。
【００１７】
【特許文献１】特開２００４−１５１６２号公報
【発明の開示】
【発明が解決しようとする課題】
【００１８】
しかしながら、図８に示した携帯電話端末では、ＥＶＤＯの動作モードを、ハイブリッドモードからＳＨＤＲモードに切替えるプライマリアンテナ１０５およびプライマリ受信部１０２による１ｘ受信感度の上限閾値を１つとして、これを固定的に設定している。なお、ハイブリッドモードでは、セカンダリ受信部１０３では１ｘを受信していないので、１ｘの受信感度はわからない。このため、上限閾値は、プライマリアンテナ１０５およびセカンダリアンテナ１０６の利得差の大きい方に合わせて設定する必要がある。
【００１９】
すなわち、プライマリアンテナ１０５およびセカンダリアンテナ１０６が、図１０（ａ）に示したアンテナ利得を有する場合、両アンテナ間の利得差は、図１０（ｂ）に示すようになる。ここで、１ｘ受信の切替えは、同一バンド内で行われるので、この場合には、８００ＭＨｚ帯における相対利得差（７ｄＢｉ）の方が２ＧＨｚ帯の相対利得差（３ｄＢｉ）よりも大きいことになる。したがって、この場合は、８００ＭＨｚ帯におけるアンテナ利得差に応じて、ハイブリッドモードからＳＨＤＲモードに切替える際の上限閾値が設定されることになる。
【００２０】
このため、アンテナ利得差の小さい２ＧＨｚ帯で１ｘ受信が行われる場合には、図１３に示すように、プライマリアンテナ１０５およびセカンダリアンテナ１０６による１ｘ受信感度に大きな差が生じず、プライマリアンテナ１０５による１ｘ受信感度が上限閾値に達する前にＳＨＤＲモードに切替えても、充分なページングの捕捉能力が得られる場合であっても、プライマリアンテナ１０５による１ｘ受信感度が、８００ＭＨｚ帯のアンテナ利得差に応じて設定された上限閾値を超えるまでは、ＳＨＤＲモードに切替えられないことになり、結果としてスループットを効率よく向上することができないことになる。
【００２１】
また、プライマリアンテナ１０５およびセカンダリアンテナ１０６のアンテナ特性は、ユーザによる携帯電話端末の把持状態や周囲環境によって変動し、それに応じて両アンテナ間の利得差も変動する。このため、上述したようにハイブリッドモードからＳＨＤＲモードに切替える１ｘ受信感度の上限閾値を固定的に設定すると、ＳＨＤＲモードに切替えても充分なページングの捕捉能力が得られる場合であっても、プライマリアンテナ１０５の利得低下により１ｘ受信感度が上限閾値を超えないために、ＳＨＤＲモードへの切替えが行われず、やはり効率よくスループットを向上することができないことになる。
【００２２】
なお、このような問題は、ｃｄｍａ２０００方式による１ｘおよびＥＶＤＯに限らず、異なる２つの無線通信システムによる情報の送受信が可能な送受信手段と、これら２つの無線通信システムによる情報の受信が可能な受信手段を有する無線通信装置において、同様にして動作モードを切替える場合にも生じるものである。
【００２３】
したがって、かかる事情に鑑みてなされた本発明の目的は、第１無線通信システムにおける報知情報の捕捉能力を確保しながら第２無線通信システムによる通信のスループットを効率よく向上できる無線通信方法およびこれを実施する無線通信装置を提供することにある。
【課題を解決するための手段】
【００２４】
上記目的を達成する請求項１に係る無線通信方法の発明は、第１無線通信システムおよび第２無線通信システムによる情報の送受信が可能な送受信手段と、前記第１無線通信システムおよび前記第２無線通信システムによる情報の受信が可能で、かつ前記第１無線通信システムにおける受信利得が前記送受信手段よりも小さい受信手段とを用い、
前記送受信手段での前記第２無線通信システムによる情報の送受信中に、前記送受信手段で受信される前記第１無線通信システムにおける着信を通知する報知情報の受信感度が、前記送受信手段と前記受信手段との受信利得差に応じて設定された第１閾値または第２閾値を超えたのを検出して、前記報知情報の受信を前記送受信手段から前記受信手段に切替えることを特徴とするものである。
【００２５】
さらに、上記目的を達成する請求項２に係る無線通信装置の発明は、第１無線通信システムおよび第２無線通信システムによる情報の送受信が可能な送受信手段と、
前記第１無線通信システムおよび前記第２無線通信システムによる情報の受信が可能で、かつ前記第１無線通信システムにおける受信利得が前記送受信手段よりも小さい受信手段と、
前記送受信手段での前記第２無線通信システムによる情報の送受信中に、前記送受信手段で受信される前記第１無線通信システムにおける着信を通知する報知情報の受信感度が閾値を超えたのを検出して、前記報知情報の受信を前記送受信手段から前記受信手段に切替える切替え手段と、
前記閾値として、前記送受信手段と前記受信手段との受信利得差に応じて、該受信利得差が大きいときは第１閾値を設定し、小さいときは第２閾値を設定する閾値設定手段と、
を有することを特徴とするものである。
【００２６】
請求項３に係る発明は、請求項２に記載の無線通信装置において、前記第２閾値は、前記第１閾値よりも小さいことを特徴とするものである。
【００２７】
請求項４に係る発明は、請求項２または３に記載の無線通信装置において、前記受信手段は、前記送受信手段での前記第２無線通信システムによる情報の送受信中に、前記第２無線通信システムによる情報をダイバシティ受信し、
前記閾値設定手段は、前記前記第２無線通信システムにおける前記送受信手段と前記受信手段との受信利得差に応じて、前記第１閾値または前記第２閾値を設定することを特徴とするものである。
【００２８】
さらに、上記目的を達成する請求項５に係る無線通信装置の発明は、第１無線通信システムおよび第２無線通信システムによる情報の送受信が可能な送受信手段と、
前記第１無線通信システムおよび前記第２無線通信システムによる情報の受信が可能で、かつ前記第１無線通信システムにおける受信利得が前記送受信手段よりも小さい受信手段と、
前記送受信手段での前記第２無線通信システムによる情報の送受信中に、前記送受信手段で受信される前記第１無線通信システムにおける着信を通知する報知情報の受信感度が閾値を超えたのを検出して、前記報知情報の受信を前記送受信手段から前記受信手段に切替える切替え手段と、
前記閾値として、前記送受信手段で受信される前記第１無線通信システムにおける使用周波数が、第１周波数帯のときは第１閾値を設定し、第２周波数帯のときは第２閾値を設定する閾値設定手段と、
を有することを特徴とするものである。
【００２９】
請求項６に係る発明は、請求項５に記載の無線通信装置において、前記第２閾値は、前記第１閾値よりも小さいことを特徴とするものである。
【発明の効果】
【００３０】
本発明によれば、送受信手段での第２無線通信システムによる情報の送受信中に、送受信手段で受信される第１無線通信システムにおける着信を通知する報知情報の受信感度が、送受信手段と受信手段との受信利得差に応じて設定された第１閾値または第２閾値を超えたのを検出して、報知情報の受信を送受信手段から受信手段に切替えるようにしたので、第１無線通信システムにおける報知情報の捕捉能力を確保しながら第２無線通信システムによる通信のスループットを効率よく向上することが可能となる。
【発明を実施するための最良の形態】
【００３１】
以下、本発明の実施の形態について、図を参照して説明する。
【００３２】
（第１実施の形態）
図１は、本発明の第１実施の形態に係る無線通信装置としての携帯電話端末の概略構成を示す機能ブロック図である。本実施の形態の携帯電話端末は、図８と同様に、８００ＭＨｚ帯および２ＧＨｚ帯による１ｘの第１無線通信システムと、１ｘＥＶＤＯの第２無線通信システムとを有するとともに、１．５ＧＨｚ帯のＧＰＳ周波数の受信機能を有するものである。
【００３３】
図１において、変調回路および復調回路を有するベースバンド部１には、送信部（Ｔｘ）２およびプライマリ受信部（プライマリＲｘ）３と、セカンダリ受信部（セカンダリＲｘ）４とが接続されている。送信部２およびプライマリ受信部３は、デュープレクサ５を介してプライマリアンテナ６に接続されて、８００ＭＨｚ帯および２ＧＨｚ帯での送受信が可能となっている。また、セカンダリ受信部４は、セカンダリアンテナ７に接続されて、プライマリ受信部３と独立して８００ＭＨｚ帯、２ＧＨｚ帯および１．５ＧＨｚ帯での受信が可能となっている。ここで、送受信手段は、送信部２、プライマリ受信部３、デュープレクサ５およびプライマリアンテナ６を含んで構成され、受信手段は、セカンダリ受信部４およびセカンダリアンテナ７を含んで構成されている。
【００３４】
プライマリアンテナ６およびセカンダリアンテナ７は、例えば図１０（ａ）に示したアンテナ利得を有しており、８００ＭＨｚ帯および２ＧＨｚ帯のそれぞれのバンドにおけるアンテナ利得は、プライマリアンテナ６の方がセカンダリアンテナ７よりも高くなっている。その結果、セカンダリアンテナ７を含む受信手段による１ｘおよびＥＶＤＯの受信利得は、プライマリアンテナ６を含む送受信手段よりも小さくなっている。
【００３５】
この携帯電話端末は、図９と同様に、ＥＶＤＯ通信においてはダイバシティ方式を採用するとともに、動作モードをハイブリッドモードまたはＳＨＤＲモードに切替えながら、各モードにおいて定期的に１ｘ通信における基地局からの着信を通知する報知情報（ページング）を受信して、音声着信を監視するようになっている。
【００３６】
本実施の形態では、このＥＶＤＯ通信において、ハイブリッドモードからＳＨＤＲモードへの切替えを、プライマリアンテナ６を含む送受信手段とセカンダリアンテナ７を含む受信手段とにおける８００ＭＨｚ帯および２ＧＨｚ帯のそれぞれの１ｘ受信バンドにおける利得差に応じて設定した１ｘ受信感度の上限閾値と、実際の１ｘ受信感度との比較に基づいて実行する。なお、ＳＨＤＲモードからハイブリッドモードへの切替えは、図１３の場合と同様に、１ｘ受信バンドに対して共通に設定した下限閾値と実際の１ｘ受信感度との比較に基づいて実行する。
【００３７】
このため、図１に示すように、閾値設定部１１およびモード切替え部１２を設けるとともに、閾値設定部１１には閾値メモリ１３を設けて、この閾値メモリ１３に、当該端末の８００ＭＨｚ帯におけるプライマリアンテナ６を含む送受信手段とセカンダリアンテナ７を含む受信手段との利得差に応じて設定した第１上限閾値と、２ＧＨｚ帯におけるプライマリアンテナ６を含む送受信手段とセカンダリアンテナ７を含む受信手段との利得差に応じて設定した第２上限閾値と、８００ＭＨｚ帯および２ＧＨｚ帯に対して共通に設定した下限閾値とを格納する。
【００３８】
また、閾値設定部１１には、ベースバンド部１から現在の１ｘ受信バンドの識別信号を供給し、この識別信号により閾値メモリ１３から現在の１ｘ受信バンドに対応する第１上限閾値または第２上限閾値と、共通の下限閾値とを読み出して、これらの閾値をモード切替え部１２に供給する。
【００３９】
モード切替え部１２では、プライマリ受信部３あるいはセカンダリ受信部４で受信されてベースバンド部１に入力された実際の１ｘ受信感度と、閾値メモリ１３から供給される１ｘ受信感度の閾値とを比較し、その比較結果に基づいて、ハイブリッドモード中に１ｘ受信感度が第１上限閾値または第２上限閾値を超えたらＳＨＤＲモードに切替え、ＳＨＤＲモード中に１ｘ受信感度が下限閾値以下になったらハイブリッドモードに切替えるように、ベースバンド部１、送受信手段である送信部２およびプライマリ受信部３、受信手段であるセカンダリ受信部４を制御する。
【００４０】
ここで、プライマリアンテナ６およびセカンダリアンテナ７は、図１０（ａ）に示したアンテナ利得を有しているので、この場合の利得差は、図１０（ｂ）に示したように８００ＭＨｚ帯における利得差（７ｄＢｉ）の方が２ＧＨｚ帯の利得差（３ｄＢｉ）よりも大きいことになる。したがって、図２に示すように、８００ＭＨｚ帯に対応する第１上限閾値は、２ＧＨｚ帯に対応する第２上限閾値よりも高く設定する。
【００４１】
以下、図３に示すフローチャートを参照して、本実施の形態の携帯電話端末におけるＥＶＤＯ通信のモード切替え動作について説明する。先ず、初期設定における動作モードをハイブリッドモードとし（ステップＳ１）、１ｘのページングを受信するか否か、すなわち１ｘサーチを実行するか否かを判定し（ステップＳ２）、１ｘサーチを実行する場合には、次に、その時点におけるモード切替え部１２の動作モードを判定する（ステップＳ３）。
【００４２】
ここで、ハイブリッドモードと判定された場合は、図９（ａ）に示したように、プライマリアンテナ６側でＥＶＤＯ通信および１ｘ受信を行い、セカンダリアンテナ７側でＥＶＤＯ通信のダイバシティ受信を行うようにする（ステップＳ４）。この場合、１ｘのページングは、アンテナ利得の高いプライマリアンテナ６で受信しているので、次に、ベースバンド部１からの１ｘ受信バンド識別信号により１ｘ受信バンドが８００ＭＨｚ帯か２ＧＨｚ帯かを判定し（ステップＳ５）、８００ＭＨｚ帯の場合には閾値設定部１１の閾値メモリ１３からモード切替え部１２に供給する上限閾値を第１上限閾値に設定し（ステップＳ６）、２ＧＨｚ帯の場合には上限閾値を第２上限閾値に設定して（ステップＳ７）、モード切替え部１２においてベースバンド部１からの実際の１ｘ受信感度が上限閾値を超えているか否かを判定し（ステップＳ８）、超えていなければステップＳ２に移行し、越えていれば、１ｘのページングをアンテナ利得の低いセカンダリアンテナ７で受信可能なので、動作モードをハイブリッドモードからスループットの高いＳＨＤＲモードに切替えて（ステップＳ９）、ステップＳ２に移行する。
【００４３】
一方、ステップＳ３において、動作モードがＳＨＤＲモードと判定された場合は、図９（ｂ）に示したように、プライマリアンテナ６側でＥＶＤＯ通信を行い、セカンダリアンテナ７側でＥＶＤＯ通信のダイバシティ受信および１ｘ受信を行うようにする（ステップＳ１０）。この場合、１ｘのページングをアンテナ利得の低いセカンダリアンテナ７で受信しているので、モード切替え部１２においてベースバンド部１からの実際の１ｘ受信感度が下限閾値以下か否かを判定し（ステップＳ１１）、下限閾値以下でなければステップＳ２に移行し、以下であれば、１ｘのページングの捕捉能力を高める必要があるので、動作モードをＳＨＤＲモードからハイブリッドモードに切替え（ステップＳ１２）、これにより１ｘのページングをアンテナ利得の高いプライマリアンテナ６で受信するようにしてステップＳ２に移行する。
【００４４】
このように、本実施の形態では、ＥＶＤＯ通信において、ハイブリッドモードからＳＨＤＲモードへ切替える際の１ｘ受信感度の上限閾値を、８００ＭＨｚ帯および２ＧＨｚ帯のそれぞれにおけるプライマリアンテナ６を含む送受信手段とセカンダリアンテナ７を含む受信手段との利得差に応じて設定したので、アンテナ利得差の大きい８００ＭＨｚ帯での第１上限閾値と比較して、アンテナ利得差の小さい２ＧＨｚ帯での第２上限閾値は低くなる。
【００４５】
したがって、８００ＭＨｚ帯で１ｘ受信が行われる場合には、図４（ａ）に示すように、プライマリアンテナ６およびプライマリ受信部３による１ｘ受信感度が第１上限閾値を超えたときに、ハイブリッドモードからＳＨＤＲモードに切替わるのに対して、２ＧＨｚ帯で１ｘ受信が行われる場合には、図４（ｂ）に示すように、セカンダリアンテナ７およびセカンダリ受信部４による１ｘ受信感度が、第１上限閾値よりも低い第２上限閾値を超えたときに、ハイブリッドモードからＳＨＤＲモードに切替わるので、１ｘのページングの捕捉能力を確保しながら、ＥＶＤＯ通信におけるスループットを効率よく向上することができる。
【００４６】
（第２実施の形態）
図５は、本発明の第２実施の形態に係る携帯電話端末の概略構成を示す機能ブロック図である。
【００４７】
本実施の形態は、携帯電話端末の電源投入直後におけるＥＶＤＯ通信では、ハイブリッドモードからＳＨＤＲモードへ切替える第１上限閾値（８００ＭＨｚ帯用）および第２上限閾値（２ＧＨｚ帯用）として、第１実施の形態と同様に、端末毎に予め設定された閾値（ここでは第１固定値（８００ＭＨｚ帯用）および第２固定値（２ＧＨｚ帯用）という）を用いるが、その後は、ＥＶＤＯ通信のダイバシティ受信におけるプライマリ受信部３およびセカンダリ受信部４による実際の受信感度に基づいてプライマリアンテナ６を含む送受信手段とセカンダリアンテナ７を含む受信手段との利得差を測定し、その利得差に応じて第１上限閾値としての第１計算値（８００ＭＨｚ帯用）あるいは第２上限閾値としての第２計算値（２ＧＨｚ帯用）を算出して、その算出された第１計算値あるいは第２計算値を用いて動作モードを切替えるようにしたものである。
【００４８】
このため、図５に示すように、閾値設定部１１には、ベースバンド部１からＥＶＤＯ通信中にプライマリ受信部３およびセカンダリ受信部４でダイバシティ受信された実際のプライマリＥＶＤＯ受信感度およびセカンダリＥＶＤＯ受信感度を供給するとともに、ＥＶＤＯ通信バンド識別信号を供給する。また、閾値設定部１１には、ベースバンド部１から入力されるプライマリＥＶＤＯ受信感度およびセカンダリＥＶＤＯ受信感度に基づいてプライマリアンテナ６を含む送受信手段とセカンダリアンテナ７を含む受信手段との利得差を測定する利得差測定部１５と、その測定した利得差およびＥＶＤＯ通信バンドの識別信号に基づいてハイブリッドモードからＳＨＤＲモードへ切替える第１上限閾値としての第１計算値、あるいは第２上限閾値としての第２計算値を算出する閾値算出部１７とを設ける。その他の構成および動作は、第１実施の形態と同様である。
【００４９】
以下、図６に示すフローチャートを参照して、本実施の形態の携帯電話端末におけるＥＶＤＯ通信のモード切替え動作について説明する。先ず、初期設定における動作モードをハイブリッドモード、閾値メモリ１３における第１上限閾値および第２上限閾値をそれぞれ予め設定された第１固定値および第２固定値とする（ステップＳ２１）。
【００５０】
次に、ＥＶＤＯ通信中か否かを判定し（ステップＳ２２）、ＥＶＤＯ通信中であれば、閾値設定部１１の利得差測定部１５において、プライマリＥＶＤＯ受信感度およびセカンダリＥＶＤＯ受信感度に基づいてプライマリアンテナ６を含む送受信手段とセカンダリアンテナ７を含む受信手段との利得差を測定し（ステップＳ２３）、さらに、ベースバンド部１からのＥＶＤＯ通信バンド識別信号からＥＶＤＯ通信バンド（周波数帯）を判定する（ステップＳ２４）。
【００５１】
ここで、ＥＶＤＯ通信バンドが８００ＭＨｚ帯であれば、ステップＳ２３で算出した利得差に基づいて第１計算値を算出して、閾値メモリ１３における第１上限閾値を第１固定値に代えて算出した第１計算値に設定し（ステップＳ２５）、２ＧＨｚ帯であれば、ステップＳ２３で算出した利得差に基づいて第２計算値を算出して、閾値メモリ１３における第２上限閾値を第２固定値に代えて算出した第２計算値に設定して（ステップＳ２６）、次に、１ｘのページングを受信するか否か、すなわち１ｘサーチを実行するか否かを判定し（ステップＳ２７）、１ｘサーチを実行しない場合には、ステップＳ２２に移行する。
【００５２】
一方、ステップＳ２２において、ＥＶＤＯ通信中でないと判定された場合には、圏外が継続しているか否かを判定し（ステップＳ２８）、圏外が継続していれば、閾値メモリ１３における第１上限閾値および第２上限閾値をそれぞれ第１固定値および第２固定値に設定して（ステップＳ２９）、ステップＳ２７に移行する。
【００５３】
ステップＳ２７において、１ｘサーチを実行する場合には、次に、その時点におけるモード切替え部１２の動作モードを判定する（ステップＳ３０）。
【００５４】
ここで、ハイブリッドモードと判定された場合は、第１実施の形態と同様に、図９（ａ）に示したように、プライマリアンテナ６側でＥＶＤＯ通信および１ｘ受信を行い、セカンダリアンテナ７側でＥＶＤＯ通信のダイバシティ受信を行うようにする（ステップＳ３１）。この場合、１ｘのページングは、アンテナ利得の高いプライマリアンテナ６で受信しているので、次に、ベースバンド部１からの１ｘ受信バンド識別信号により１ｘ受信バンドが８００ＭＨｚ帯か２ＧＨｚ帯かを判定し（ステップＳ３２）、８００ＭＨｚ帯の場合には閾値メモリ１３からモード切替え部１２に供給する上限閾値を第１上限閾値に設定し（ステップＳ３３）、２ＧＨｚ帯の場合には上限閾値を第２上限閾値に設定して（ステップＳ３４）、モード切替え部１２においてベースバンド部１からの実際の１ｘ受信感度が上限閾値を超えているか否かを判定し（ステップＳ３５）、超えていなければステップＳ２２に移行し、越えていれば、１ｘのページングをアンテナ利得の低いセカンダリアンテナ７で受信可能なので、動作モードをハイブリッドモードからスループットの高いＳＨＤＲモードに切替えて（ステップＳ３６）、ステップＳ２２に移行する。
【００５５】
したがって、本実施の形態においては、ＥＶＤＯ通信と１ｘ受信とが同一バンドで行われる場合には、ハイブリッドモードからＳＨＤＲモードに切替える１ｘ受信感度の上限閾値として、当該ＥＶＤＯ通信中において、ステップＳ２５で算出された第１計算値あるいはステップＳ２６で算出された第２計算値が用いられることになり、ＥＶＤＯ通信と１ｘ受信とが異なるバンドで行われる場合には、上限閾値として、予め設定された第１固定値あるいは第２固定値、または前回までのＥＶＤＯ通信において計算された第１計算値あるいは第２計算値が用いられることになる。
【００５６】
一方、ステップＳ３０において、動作モードがＳＨＤＲモードと判定された場合は、図９（ｂ）に示したように、プライマリアンテナ６側でＥＶＤＯ通信を行い、セカンダリアンテナ７側でＥＶＤＯ通信のダイバシティ受信および１ｘ受信を行うようにする（ステップＳ３７）。この場合、１ｘのページングをアンテナ利得の低いセカンダリアンテナ７で受信しているので、モード切替え部１２においてベースバンド部１からの実際の１ｘ受信感度が下限閾値以下か否かを判定し（ステップＳ３８）、下限閾値以下でなければステップＳ２２に移行し、以下であれば、１ｘのページングの捕捉能力を高める必要があるので、動作モードをＳＨＤＲモードからハイブリッドモードに切替え（ステップＳ３９）、これにより１ｘのページングをアンテナ利得の高いプライマリアンテナ６で受信するようにしてステップＳ２２に移行する。
【００５７】
このように、本実施の形態においては、ＥＶＤＯ通信のダイバシティ受信における実際の受信感度に基づいてプライマリアンテナを含む送受信手段６とセカンダリアンテナ７を含む受信手段との利得差を測定し、その利得差に応じて当該ＥＶＤＯ通信バンドに対応する上限閾値を算出するようにしたので、ＥＶＤＯ通信と１ｘ受信とが同一バンドで行われる場合には、ユーザによる携帯電話端末の把持状態や周囲環境の変化によるプライマリアンテナ６とセカンダリアンテナ７との利得差の変動に応じて、ハイブリッドモードからＳＨＤＲモードに切替える１ｘ受信感度の上限閾値をリアルタイムで適切に設定することができる。したがって、１ｘのページングの捕捉能力を確保しながら、ＥＶＤＯ通信におけるスループットをより効率良く向上することができる。
【００５８】
（第３実施の形態）
本発明の第３実施の形態においては、図５に示した携帯電話端末において、閾値設定部１１の利得差測定部１５で測定されたプライマリアンテナ６を含む送受信手段とセカンダリアンテナ７を含む受信手段との利得差に基づいて、閾値算出部１７において当該ＥＶＤＯ通信バンドにおける上限閾値と、他の通信バンドにおける上限閾値とを算出して、第１上限閾値および第２上限閾値をそれぞれ設定する。
【００５９】
すなわち、ユーザによる携帯電話端末の把持状態や周囲環境の変化によって、ＥＶＤＯ通信バンド（例えば、８００ＭＨｚ帯）におけるプライマリアンテナ６とセカンダリアンテナ７との利得差が変動すると、他の通信バンド（例えば、２ＧＨｚ帯）におけるプライマリアンテナ６とセカンダリアンテナ７との利得差も同様に変動する。この他のバンドにおける利得差は、利得差測定部１５で測定されたＥＶＤＯ通信バンドにおける利得差と、図１０（ｂ）に示したプライマリアンテナ６およびセカンダリアンテナ７の相対利得差とに基づいて計算により予測することができ、その予測した利得差から当該他の通信バンドに対応する上限閾値を算出することができる。
【００６０】
そこで、本実施の形態では、図７にフローチャートを示すように、ステップＳ２３において、プライマリＥＶＤＯ受信感度およびセカンダリＥＶＤＯ受信感度に基づいてプライマリアンテナ６を含む送受信手段とセカンダリアンテナ７を含む受信手段との利得差を測定し、さらに、ステップＳ２４において、ベースバンド部１からのＥＶＤＯ通信バンド識別信号からＥＶＤＯ通信バンド（周波数帯）を判定したら、その判定結果に応じて、ＥＶＤＯ通信バンドに対応する上限閾値と、他の通信バンドに対応する上限閾値とを算出する。
【００６１】
すなわち、ステップＳ２４において、ＥＶＤＯ通信バンドが８００ＭＨｚ帯と判定された場合には、ステップＳ２３で算出した利得差に基づいて第１計算値を算出して、閾値メモリ１３における第１上限閾値を第１固定値に代えて算出した第１計算値に設定するとともに（ステップＳ４１）、ステップＳ２３で算出された利得差と本来のプライマリアンテナ６およびセカンダリアンテナ７の相対利得差とに基づいて、２ＧＨｚ帯に対応する第２計算値を算出して、閾値メモリ１３における第２上限閾値を第２固定値に代えて算出した第２計算値に設定する（ステップＳ４２）。
【００６２】
同様に、ステップＳ２４において、ＥＶＤＯ通信バンドが２ＧＨｚ帯と判定された場合には、ステップＳ２３で算出した利得差に基づいて第２計算値を算出して、閾値メモリ１３における第２上限閾値を第２固定値に代えて算出した第２計算値に設定するとともに（ステップＳ４３）、ステップＳ２３で算出された利得差と本来のプライマリアンテナ６およびセカンダリアンテナ７の相対利得差とに基づいて、８００ＭＨｚ帯に対応する第１計算値を算出して、閾値メモリ１３における第１上限閾値を第１固定値に代えて算出した第１計算値に設定する（ステップＳ４４）。
【００６３】
このようにして、図６の場合と同様に、ステップＳ３２において、１ｘ受信バンドが８００ＭＨｚ帯と判定された場合には、閾値メモリ１３からモード切替え部１２に供給する上限閾値を第１上限閾値に設定し（ステップＳ３３）、２ＧＨｚ帯と判定された場合には上限閾値を第２上限閾値に設定する（ステップＳ３４）。なお、図７において、図６と同じ処理を行うステップには、同じステップ符号を付して、説明を省略する。
【００６４】
したがって、本実施の形態によれば、ＥＶＤＯ通信と１ｘ受信とが同一バンドで行われる場合は勿論のこと、異なるバンドで行われる場合でも、ユーザによる携帯電話端末の把持状態や周囲環境の変化によるプライマリアンテナ６とセカンダリアンテナ７との利得差の変動に応じて、ハイブリッドモードからＳＨＤＲモードに切替える１ｘ受信感度の上限閾値をリアルタイムで適切に設定することができるので、１ｘのページングの捕捉能力を確保しながら、ＥＶＤＯ通信におけるスループットをさらに効率良く向上することができる。
【００６５】
なお、本発明は、上記実施の形態にのみ限定されるものではなく、幾多の変形または変更が可能である。例えば、第３実施の形態においては、図７のステップＳ４１において第１計算値を算出したら、ステップＳ４２では第１計算値から所定感度低下した値を第２計算値として一義的に算出することもできるし、同様に、ステップＳ４３において第２計算値を算出したら、ステップＳ４４では第２計算値から所定感度上昇した値を第１計算値として一義的に算出することもできる。
【００６６】
また、本発明は、８００ＭＨｚ帯および２ＧＨｚ帯を用いるｃｄｍａ２０００方式による１ｘおよび１ｘＥＶＤＯに限らず、異なる２つの無線通信システムによる情報の送受信が可能な送受信手段と、これら２つの無線通信システムによる情報の受信が可能な受信手段を有し、同様にして動作モードを切替える無線通信装置にも有効に適用することができる。
【図面の簡単な説明】
【００６７】
【図１】本発明の第１実施の形態に係る携帯電話端末の概略構成を示すブロック図である。
【図２】図１に示す閾値設定部で設定する第１上限閾値および第２上限閾値の関係を示す図である。
【図３】第１実施の形態によるＥＶＤＯ通信のモード切替え動作を説明するフローチャートである。
【図４】第１実施の形態による８００ＭＨｚ帯および２ＧＨｚ帯で１ｘ受信が行われる場合の動作モードの切替えを比較して示す図である。
【図５】本発明の第２実施の形態に係る携帯電話端末の概略構成を示すブロック図である。
【図６】第２実施の形態によるＥＶＤＯ通信のモード切替え動作を説明するフローチャートである。
【図７】本発明の第３実施の形態に係る携帯電話端末によるＥＶＤＯ通信のモード切替え動作を説明するフローチャートである。
【図８】ＳＨＤＲ機能を搭載した従来の携帯電話端末の概略構成を示す機能ブロック図である。
【図９】ＥＶＤＯ通信におけるハイブリッドモードおよびＳＨＤＲモードを説明するための図である。
【図１０】図８に示すプライマリアンテナおよびセカンダリアンテナの利得および利得差を示す図である。
【図１１】図８に示す従来の携帯電話端末によるＥＶＤＯ通信のモード切替えを説明するための図である。
【図１２】図８に示す従来の携帯電話端末によるＥＶＤＯ通信のモード切替え動作を説明するフローチャートである。
【図１３】図８に示す従来の携帯電話端末における不都合を説明するための図である。
【符号の説明】
【００６８】
１  ベースバンド部
２  送信部
３  プライマリ受信部
４  セカンダリ受信部
５  デュープレクサ
６  プライマリアンテナ
７  セカンダリアンテナ
１１  閾値設定部
１２  モード切替え部
１３  閾値メモリ
１５  利得差測定部
１７  閾値算出部
【図１】
2008085793.tif 000003
【図２】
2008085793.tif 000004
【図３】
2008085793.tif 000005
【図４】
2008085793.tif 000006
【図５】
2008085793.tif 000007
【図６】
2008085793.tif 000008
【図７】
2008085793.tif 000009
【図８】
2008085793.tif 000010
【図９】
2008085793.tif 000011
【図１０】
2008085793.tif 000012
【図１１】
2008085793.tif 000013
【図１２】
2008085793.tif 000014
【図１３】
2008085793.tif 000015